(57)【要約】      （修正有）【課題】場所をとらずに、壁面が磁性体に関わらず設置でき、ピンを刺すことで繰り返しメモなどが止められるミニ掲示板を提供する。【解決手段】掲示板の板材を発泡性や柔軟性のある材料とした。また、板材の片面に粘着材を付ける。板材の片面に磁石を付ける。板材の片面に吸盤を付ける。これらのことにより、板材にピン９でメモ用紙などを刺してメモ用紙７などを貼り付ける。さらに、板材に図柄を設けた。【選択図】図５
0003178885.tif 000002
【実用新案登録請求の範囲】
【請求項１】
紙などにピンを刺して留めて掲示する掲示板において、掲示板の板材を板厚８ｍｍ以上の柔軟性のある材料とし、柔軟板材としたことを
特徴とするミニ掲示板。
【請求項２】
請求項１に記載のミニ掲示板において、
前記柔軟板材を、ゴムやプラスチック樹脂にガスで発泡させ膨らました発泡材で構成したことを
特徴とするミニ掲示板。
【請求項３】
請求項１から２に記載のいずれかのミニ掲示板において、
前記柔軟板材の片面に粘着材を張り付け、又は塗り付けて粘着面を形成したことを
特徴とするミニ掲示板。
【請求項４】
請求項１から２に記載のいずれかのミニ掲示板において、
前記柔軟板材の片面にマグネットを設けたことを
特徴とするミニ掲示板。
【請求項５】
請求項１から２に記載のいずれかのミニ掲示板において、
前記柔軟板材の片面に吸盤を設けたことを
特徴とするミニ掲示板。
【請求項６】
請求項１から５に記載のいずれかのミニ掲示板において、
前記板材に図柄を設けたことを
特徴とするミニ掲示板。
【考案の詳細な説明】
【技術分野】
【０００１】
本考案は、ピン刺しによる紙を止める掲示板に関する。
【背景技術】
【０００２】
従来から、掲示板には黒板の様に板材を利用したボードが用いられ、紙を画鋲の様なピンで止められてきた。これらの掲示板は剥がれにくいように強い止め効果が期待された。このため板材は堅く画鋲などを剥がすのに力がいる結果を生じている。また、これらの掲示板はボードを設置（ネジ止めやぶら下げる）する場所が必要であると共に、紙の大きさよりも大きく邪魔な存在であった。
【０００３】
一方、簡易的な掲示を行う方法として、マグネットにより紙を挟め留める方法が取られている。例えば冷蔵庫などにキャラクターと組み合わせたマグネットで留める方法がとられている。しかしながら、壁面などが磁性体でなければ取付出来ない。また、留める紙の量が増え厚みを増すと落ちてしまうなどの問題が発生した。さらにマグネット方式は電子機器への影響を考え、電子機器の筐体への張り付けは懸念された。
【０００４】
特許文献１には、選挙様ポスター掲示板が記され、繰り返しピンの刺せるＡＢＳ樹脂を用いた掲示板が開示されているが、大型の掲示板である。
【０００５】
特許文献２には、吸盤と磁石を用いた係止具が開示されているが、ピンを用いたものでは無い。
特許文献３には、フォトスタンドや額縁等にマグネットのピンを用いて止めるものが開示されているが、非磁性体の背面に磁気媒体材を重ね合わせたものである。
特許文献４には、針状やピン状の大量流通商品を利用した刺押用針部材と安全部材とを係合、勘合するものが開示されているが、安全部材とを係合、勘合するものである。
【先行技術文献】
【特許文献】
【０００６】
【特許文献１】特許公開２００４−１３３３３７号公報
【特許文献２】特許公開２００１−５０２４０号公報
【特許文献３】登録実用新案第３０８１４９９号公報
【特許文献３】実用新案公開兵６−６３３６１号公報
【考案の概要】
【考案が解決しようとする課題】
【０００７】
場所をとらずに、壁面が磁性体に関わらず設置でき、ピンを刺すことで繰り返しメモなどが止められるミニ掲示板を提供する。
【課題を解決するための手段】
【０００８】
上記課題を解決するために、本考案のミニ掲示板は、紙などにピンを刺して留めて掲示する掲示板において、掲示板の板材を板厚８ｍｍ以上の柔軟性のある材料とした柔軟板材とし、前記柔軟板材を、ゴムやプラスチック樹脂にガスで発泡させ膨らました発泡材で構成し、前記柔軟板材の片面に粘着材を張り付け、又は塗り付けて粘着面を形成した。また、前記柔軟板材の片面にマグネットを設けた。さらに、前記柔軟板材の片面に吸盤を設けた、さらには、前記板材に図柄を設けた事を特徴とするミニ掲示版である。
【考案の効果】
【０００９】
磁性体の壁などに限らずに身近な場所にメモ、レシピ、領収書などが手軽にピン留め出来ることにより、より便利な生活が得られる。また、今までのマグネットを貼り付け時に発生する貼り付け音が無くなり、より自然な穏やかなわずかな穴開け作業でメモなどを留める感覚が得られる。
【図面の簡単な説明】
【００１０】
【図１】本考案ミニ掲示板の実施例１の斜視図である。
【図２】本考案ミニ掲示板の実施例１ａの横断面図である。
【図３】本考案ミニ掲示板の実施例１ｂの横断面図である。
【図４】本考案ミニ掲示板の実施例１ｃの横断面図である。
【図５】本考案ミニ掲示板の実施例１ｄの斜視図である。
【考案を実施するための形態】
【００１１】
本考案の実施の形態について、以下、図に基づいて説明する。
【００１２】
図１は、本考案のミニ掲示板の実施例１の斜視図である。図１ミニ掲示板１は柱８に貼り付けた状態を示し、ミニ掲示板１は柔軟材で形成された柔軟板材２で構成され、厚みｈは８ｍｍ以上（例えば１４ｍｍ）で形成されピン９を刺すことによりメモ用紙などが留められるものを示す。ピンの長さは柔軟板材の堅さにもよるが、８ｍｍ以上が有効に留められると共に刺すときに安定して刺すことが出来る。
具体的に柔軟板材２は、例えば、天然ゴムやエラストマー樹脂で形成され、板材を切り抜き形成したものを示す。また、インジェクションやコンプレッション成型により形成しても良いものである。また、柱８には両面テープなどの粘着テープ３で張り付けを示す。また、接着剤等で貼り付けても良いものである。
【００１３】
図２は、本考案のミニ掲示板の実施例１ａの横断面図を示し、柔軟板材２には、発泡材（例えば発泡ウレタンの板材）を使用したものを示す。また、柔軟板材２の片面（左面）には粘着テープ３（例えば両面粘着テープ）と剥離紙３１を貼り付けた状態を示す。
使用時は剥離紙３１を剥がし、壁面などに粘着面を貼り付けて、柔軟板材２の表面に虫ピン９を刺しメモ用紙などを留める。
この様に柔軟板材２に虫ピン９を刺すことにより、簡単に繰り返しメモ用紙などの張り付けが可能となる。また、マグネット式の様に、磁性体（金属など）で出来た壁等にこだわらないためテーブルや柱などに取り付けることが出来ると共に、磁器を発生しないためにパソコンの筐体等にも取り付けることが出来る。
発泡材は、他に天然ゴムやポリエチレン、ポリプロピレン、ポリスチレンなどの材料があるが、虫ピンを刺して抜いたときに発泡材の気泡が潰れず、復帰しやすい材料が良い。
【００１４】
図３は本考案のミニ掲示板の実施例１ｂの横断面図を示し、柔軟板材２には、発泡材を使用したものを示す。図３（ａ）は、柔軟板材２の片面に柔軟性のある材料に磁性粉末を混入したシート状の磁石４を貼り付けたものを示す。図３（ｂ）は柔軟板材２の片面の窪みに磁石４ａを埋め込んだものを示す。図３（ｃ）は、柔軟板材２の内部に磁石４ｂを混入したものを示す。
例えば金属で出来た冷蔵庫のドアなどに磁性面を貼り付けて、柔軟板材２表面にピンを刺してメモ用紙を留めるものを示す。また、図３（ａ）柔軟性の磁石４を使用しているので、冷蔵庫の曲面などにも取り付けやすい。
【００１５】
図４は本考案のミニ掲示板の実施例１ｃの横断面図を示し、柔軟板材２には、発泡材を使用したものを示し、柔軟板材２の片面に吸盤５を設けたものである。例えば、冷蔵庫のドアの面に吸盤５を貼り付け、柔軟板材２にピンを刺してメモ用紙などを刺すものを示す。
【００１６】
図５は本考案のミニ掲示板の実施例１ｄの斜視図を示し、ミニ掲示板１ｄに虫ピン９を刺しメモ用紙７を留めた状態を示す。ミニ掲示板１ｄの表面には図柄１１を配したものを示す。図柄は動物の顔であったり、漫画のキャラクターであったり、山など川などの風景や、船や飛行機の様なものであっても良い。また、板状のもので無く、立体的な形状でもよいものである。さらに、これらを限定するものではなく、これらの多種多様な組合せは本考案の応用の範囲と考える。
【符号の説明】
【００１７】
１・１ａ・１ｂ・１ｃ・１ｄ：ミニ掲示板、２：柔軟板材、３：粘着テープ、４・４ａ・４ｂ：磁石、５：吸盤、７：メモ用紙、８：柱、９虫ピン
【図１】
0003178885.tif 000003
【図２】
0003178885.tif 000004
【図３】
0003178885.tif 000005
【図４】
0003178885.tif 000006
【図５】
0003178885.tif 000007